(57)【要約】【課題】持ち運び可能であって、運転モードを適切に制御することのできる空気調和機を提供する。【解決手段】たとえば車載などで持ち運び可能な空気調和機１００は、当該空気調和機の存在する領域を特定し（Ｓ１）、領域に関連付けられた運転モードを記憶しているメモリを参照して、当該空気調和機の存在する領域に応じて運転モードを判定する。そして、その判定結果に従って空気調和機の運転モードを制御する（Ｓ２）。【選択図】図４
2015124933.tif 000002
【特許請求の範囲】
【請求項１】
持ち運び可能な空気調和機であって、
領域に関連付けられた運転モードを記憶するためのメモリと、
前記空気調和機の存在する領域を特定するための特定手段と、
前記メモリを参照して、前記空気調和機の存在する領域に応じて運転モードを判定するための判定手段と、
前記判定手段での判定結果に従って前記空気調和機の運転モードを制御するための制御手段とを備える、空気調和機。
【請求項２】
前記特定手段は他の装置との間で所定のエリアに限定された通信を行なうための通信手段を含み、前記他の装置の位置に対応した情報を前記他の装置から取得することで前記空気調和機の存在する領域を特定する、請求項１に記載の空気調和機。
【請求項３】
前記特定手段はＧＰＳ（Global  Positioning  System）受信器を含み、ＧＰＳ信号に基づいて前記空気調和機の存在する領域を特定する、請求項１に記載の空気調和機。
【請求項４】
前記特定手段は、さらに、前記空気調和機の存在する領域に基づいて前記空気調和機の移動方向を特定し、
前記特定手段は、前記移動方向に基づいて前記空気調和機の移動先を予測するための予測手段をさらに含み、
前記判定手段は、移動先と予測される前記空気調和機の存在する領域に応じて運転モードを判定する、請求項１〜３のいずれかに記載の空気調和機。
【請求項５】
前記予測手段は、前記空気調和機の移動速度に対応した情報を得るための取得手段を含み、前記移動方向と前記移動速度とに応じて前記空気調和機の移動先を予測する、請求項４に記載の空気調和機。
【請求項６】
持ち運び可能な空気調和機を制御する制御装置であって、
前記空気調和機の存在する領域を特定するための特定手段と、
領域に関連付けられた運転モードを記憶したメモリを参照して、前記空気調和機の存在する領域に応じて運転モードを判定するための判定手段と、
前記判定手段での判定結果に従って前記空気調和機の運転モードを制御するための制御手段とを備える、空気調和機の制御装置。
【請求項７】
持ち運び可能な空気調和機の制御方法であって、
前記空気調和機の存在する領域を特定するステップと、
領域に関連付けられた運転モードを記憶しているメモリを参照して、前記空気調和機の存在する領域に応じて運転モードを判定するステップと、
前記判定するステップでの判定結果に従って前記空気調和機の運転モードを制御するステップとを備える、空気調和機の制御方法。
【発明の詳細な説明】
【技術分野】
【０００１】
この発明は空気調和機、空気調和機の制御装置、および空気調和機の制御方法に関し、特に、持ち運び可能な空気調和機、空気調和機の制御装置、および空気調和機の制御方法に関する。
【背景技術】
【０００２】
空気清浄機やイオン発生機などの空気調和機では、周囲の環境条件に応じて運転モードを制御することが好ましい。たとえば、特開２０１１−４０４２号公報（以下、特許文献１）は、花粉情報やインフルエンザ流行情報などの、空気清浄機を稼働するための生活環境情報をデジタル放送受信装置の情報収集機能を利用して外部から取得して空気清浄機を稼働するための駆動信号を生成する方法を開示している。
【０００３】
昨今、空気清浄機やイオン発生機などの空気調和機が小型化され、車載されたり携帯されたりして持ち運び可能なサイズのものも提案されている。このような持ち運び可能な空気調和機では周囲の環境条件が変化しやすいため、より細やかな運転モードの制御が求められる。
【先行技術文献】
【特許文献】
【０００４】
【特許文献１】特開２０１１−４０４２号公報
【発明の概要】
【発明が解決しようとする課題】
【０００５】
しかしながら、持ち運び可能な空気調和機は、インターネットへの接続やデジタル放送の受信などができない場合があり、特許文献１に提案されているような情報収集機能を有さないことがある。その場合、特許文献１の技術を利用して周囲の環境条件を得ることができないため、周囲の環境条件に応じて運転モードを自動的に制御することが難しいという問題がある。
【０００６】
本発明はこのような問題に鑑みてなされたものであって、持ち運び可能な空気調和機の運転モードを適切に制御することのできる空気調和機、空気調和機の制御装置、および空気調和機の制御方法を提供することを目的としている。
【課題を解決するための手段】
【０００７】
上記目的を達成するために、本発明のある局面に従うと、空気調和機は持ち運び可能であって、領域に関連付けられた運転モードを記憶するためのメモリと、空気調和機の存在する領域を特定するための特定手段と、メモリを参照して、空気調和機の存在する領域に応じて運転モードを判定するための判定手段と、判定手段での判定結果に従って空気調和機の運転モードを制御するための制御手段とを備える。
【０００８】
好ましくは、特定手段は他の装置との間で所定のエリアに限定された通信を行なうための通信手段を含み、他の装置の位置に対応した情報を当該他の装置から取得することで空気調和機の存在する領域を特定する。
【０００９】
好ましくは、特定手段はＧＰＳ（Global  Positioning  System）受信器を含み、ＧＰＳ信号に基づいて空気調和機の存在する領域を特定する。
【００１０】
好ましくは、特定手段は、さらに、空気調和機の存在する領域に基づいて空気調和機の移動方向を特定し、特定手段は、移動方向に基づいて空気調和機の移動先を予測するための予測手段をさらに含み、判定手段は、移動先と予測される空気調和機の存在する領域に応じて運転モードを判定する。
【００１１】
より好ましくは、予測手段は、空気調和機の移動速度に対応した情報を得るための取得手段を含み、移動方向と移動速度とに応じて空気調和機の移動先を予測する。
【００１２】
本発明の他の局面に従うと、空気調和機の制御装置は持ち運び可能な空気調和機を制御する制御装置であって、空気調和機の存在する領域を特定するための特定手段と、領域に関連付けられた運転モードを記憶したメモリを参照して、空気調和機の存在する領域に応じて運転モードを判定するための判定手段と、判定手段での判定結果に従って空気調和機の運転モードを制御するための制御手段とを備える。
【００１３】
本発明のさらに他の局面に従うと、持ち運び可能な空気調和機の制御方法であって、空気調和機の存在する領域を特定するステップと、領域に関連付けられた運転モードを記憶しているメモリを参照して、空気調和機の存在する領域に応じて運転モードを判定するステップと、判定するステップでの判定結果に従って空気調和機の運転モードを制御するステップとを備える。
【発明の効果】
【００１４】
この発明によると、持ち運び可能な空気調和機の運転モードを適切に制御することができる。
【図面の簡単な説明】
【００１５】
【図１】実施の形態にかかる空気調和機の一例としての、空気清浄機の外観の一例の概略図である。
【図２】空気清浄機の内部構造を説明するための概略図である。
【図３】空気清浄機の装置構成の具体例を表わすブロック図である。
【図４】空気清浄機の動作概要を説明するための図である。
【図５】空気清浄機の使用形態の他の例を表わした図である。
【図６】空気清浄機の機能構成の具体例を示すブロック図である。
【図７】空気清浄機での動作の流れの具体例を表わしたフローチャートである。
【発明を実施するための形態】
【００１６】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００１７】
＜実施形態１：装置構成＞
図１は、本実施の形態にかかる空気調和機の一例としての、空気清浄機１００の外観の一例の概略図である。図１を参照して、空気清浄機１００は匡体の表面に設けられた給気口１と排気口２と操作パネル３とを含む。
【００１８】
一例として、空気清浄機１００は、その匡体が図１に示されたように直径７０ｍｍ、高さ１５０ｍｍ程度の人の手で握りやすい円筒形状あるいは略円筒形状を呈するなど、ユーザによって持ち運び可能なサイズ、形状、および重量である。空気清浄機１００の形状は図１の例には限定されない。ユーザによって持ち運び可能なサイズ、形状、および重量であればどのようなものであってもよい。持ち運びは、手に持つ、身体の一部または衣服の一部に装着する、バッグに入れる、車両や自転車などの移動体に装着する、などの形態を含む。さらに、空気清浄機１００は、たとえば携帯端末などの持ち運び可能な装置や車両や自転車などの移動体、あるいはカーナビゲーション装置などの当該移動体に装着された装置に組み込まれてもよい。
【００１９】
図２は、空気清浄機１００の内部構造を説明するための概略図である。図２を参照して、空気清浄機１００の匡体内にはファン５０が設けられ、ファン５０が回転駆動することで外気が給気口１から匡体内に導入され、排気口２から匡体外へ排気される。すなわち、ファン５０が回転駆動することで匡体内に、図２において点線矢印で表わされている、給気口１から排気口２へ向かう気流が生じる。
【００２０】
給気口１にはヘパフィルタ（High  Efficiency  Particulate  Air  Filter）などのフィルタ３０が配される。上記気流が生じることで給気口１から外気がフィルタ３０を経て匡体内に導入されるため、外気中のゴミ等の粒子がフィルタ３０によって除去され、清浄された空気が排気口２から匡体外に排気される。または、フィルタ３０は排気口２近傍に設けられ、給気口１から導入された外気が排気口２近傍のフィルタ３０を経て排気口２から匡体外に排気されてもよい。
【００２１】
好ましくは、空気清浄機１００の匡体内の上記気流の近傍に、イオン発生機２０が配される。イオン発生機２０は、電圧が供給されることでマイナスイオン、プラスイオンそれぞれを発生するための図示しない放電電極を含み、マイナスイオン、プラスイオンそれぞれを放出する。放出されたイオンは、上記気流によって匡体外へ運ばれ、さらに、空気清浄機１００近傍で効率的に拡散される。
【００２２】
操作パネル３は、一例として、電源ボタン３−１と運転モードを切り替えるための切替ボタン３−２とを含む。運転モードは、空気調和機の一例としての空気清浄機１００での空気調和能力のレベルの異なる動作仕様を指す。空気清浄機１００の場合、たとえば、空気清浄能力が高い方から低い方へ順に、「弱」「中」「強」などの運転モードが用意されている。この順で、ファンの駆動が大きくなる。また、イオンの発生量が多くなってもよい。また、操作パネル３は、後述する運転モードの自動制御のＯＮ／ＯＦＦを指示するためのボタンや該自動制御を行なう期間を設定するためのタイマボタン（不図示）等を含んでもよい。
【００２３】
匡体内には、さらに、後述する特定機能の一部としての、他の装置との間での所定のエリアに限定された通信を行なうための通信器４０と、全体制御を行なうための制御装置１０とが含まれる。通信器４０は、一例として狭域通信とも呼ばれる、通信エリアを特定の狭いエリアに限定したＤＳＲＣ（Dedicated  Short  Range  Communications）などを行なう。通信器４０は、他の例として、Ｗｉ−Ｆｉ（Wireless  Fidelity）やＢｌｕｅｔｏｏｔｈ（登録商標）などの近距離無線通信を行なってもよい。
【００２４】
制御装置１０は、操作パネル３からの操作信号の入力を受け付けて、ユーザ操作に従ってファン５０やイオン発生機２０を駆動させたり、運転モードを制御したりする。さらに、制御装置１０は、後述する、通信器４０からの情報に基づいて当該空気清浄機１００の位置に応じた運転モードの制御も行なう。
【００２５】
図３は、空気清浄機１００の装置構成の具体例を表わすブロック図である。図３を参照して、空気清浄機１００は、ファン５０、イオン発生機２０、通信器４０、および操作パネル３と電気的に接続された制御装置１０を含む。制御装置１０は、制御を実現するためのＣＰＵ（Central  Processing  Unit）１０ａと、ＣＰＵ１０ａで実行されるプログラムを記憶するためのメモリであるＲＯＭ（Read  Only  Memory）１１と、各種データを記憶したりＣＰＵ１０ａでプログラムを実行する際の作業領域になったりするメモリであるＲＡＭ（Random  Access  Memory）１２と、通信器４０と接続して通信するための通信器Ｉ／Ｆ（インタフェース）１３と、ファン５０と接続して通信するためのファンＩ／Ｆ１４と、操作パネル３と接続して通信するための操作パネルＩ／Ｆ１５と、イオン発生機２０と接続して通信するためのイオン発生機Ｉ／Ｆ１６とを含む。
【００２６】
＜実施形態２：動作概要＞
図４は、空気清浄機１００の動作概要を説明するための図である。図４を参照して、一例として空気清浄機１００は、車両に搭載され、車両の移動に伴って持ち運ばれる。
【００２７】
空気清浄機１００は、通信器４０で他の装置することで、当該他の装置から自身（他の装置）の位置に対応した情報を取得する。図４の例では、空気清浄機１００は、いわゆるＥＴＣシステム（Electronic  Toll  Collection  System）と呼ばれる、有料道路の料金所に設置された通信装置と通信器４０との間の通信にて、当該料金所の位置を表わす情報を取得する。
【００２８】
空気清浄機１００のメモリには、予め、運転モードが領域に関連付けて記憶されている。たとえば、工業地帯やアレルゲンとなる植物の多く生息する地域を含む領域に対しては運転モード「強」を関連付けておくことが考えられる。また、海辺や山林を含む領域に対しては運転モード「弱」を関連付けておくことが考えられる。
【００２９】
空気清浄機１００は、通信器４０での通信が所定のエリアに限定された通信であることから、運転モードに関連付けられている領域のうちの取得した料金所の位置を表わす情報の属する領域を、当該空気清浄機１００の存在する領域として特定する（ステップＳ１）。次に、空気清浄機１００は、メモリを参照して、当該空気清浄機１００の存在する領域に応じて運転モードを判定する。そして、空気清浄機１００は、その判定結果に従って当該空気清浄機１００の運転モードを制御する（ステップＳ２）。
【００３０】
図４の流れは一例であって、空気清浄機１００は、他の方法で自身の存在する領域を特定してもよい。たとえば、上記の例と同様に車載にて持ち運ばれる場合、他の装置として、当該車両に設置されているカーナビゲーション装置などの自身の位置を特定可能な装置との間で通信し、当該装置から位置情報を取得してもよい。この場合、空気清浄機１００は予め当該カーナビゲーション装置との間で取り決めてある、位置情報を要求するためのコマンドをカーナビゲーション装置に対して出力し、それに応答してカーナビゲーション装置から位置情報を取得する。
【００３１】
また、カーナビゲーション装置やＥＴＣシステムの通信装置以外の他の装置として、車載にて持ち運ばれる場合も後述するユーザの手によって持ち運ばれる場合も、空気清浄機１００は他の装置として携帯電話の基地局やラジオ放送局などと通信し、その通信可否や通信強度などによって自身の存在する領域を特定するようにしてもよい。
【００３２】
さらに他の例として、空気清浄機１００は、車載等の移動体に装着して持ち運ばれるほか、バッグに入れたり、ユーザが手に持ったり、身体の一部または衣服の一部に装着したりして持ち運ばれてもよい。図５（Ａ）は、他の例として、空気清浄機１００がバッグに入れて持ち運ばれる場合の動作概要を説明するための図である。図５（Ａ）を参照して、この場合、空気清浄機１００は、他の装置の一例としていわゆるタブレットと呼ばれる携帯端末と通信して、当該携帯端末が取得している自身（携帯端末）の位置情報を取得する。これは、空気清浄機１００がユーザの身体の一部または衣服の一部に装着されて持ち運ばれたり、手に持って持ち運ばれたりする場合も同様である。つまり、そのような場合であっても、空気清浄機１００は当該ユーザの携帯する携帯端末と通信して位置情報を取得することができる。
【００３３】
このような例でも、空気清浄機１００は携帯端末との間で所定のエリアに限定された通信を行なうので、携帯端末から得られた位置情報を当該空気清浄機１００の存在する位置を表わす情報として、当該空気清浄機１００の存在する領域を特定することができる。そして、空気清浄機１００は、図４の例と同様にして運転モードを判定して、その判定結果に従って当該空気清浄機１００の運転モードを制御することができる。
【００３４】
さらに他の例として、空気清浄機１００が自身の存在する領域を特定する方法は他の装置の位置を利用する方法に限定されず、図５（Ｂ）に表わされたように、空気清浄機１００がＧＰＳ（Global  Positioning  System）受信器である通信器４０ａを含み、ＧＰＳ信号から直接、自身（空気清浄機１００）の位置を取得してもよい。たとえば、空気清浄機１００が上述のように携帯端末やカーナビゲーション装置等に組み込まれる場合、当該携帯端末等の有するＧＰＳ受信器を利用して空気清浄機１００の位置を取得してもよい。なお、空気清浄機１００では、運転モードに関連付けられている領域のうちのいずれの領域に当該空気清浄機１００が存在しているかを特定できればよいので、ＧＰＳ信号を用いて位置を特定する場合には、携帯端末やカーナビゲーション装置での位置の特定よりも低精度であってよい。
【００３５】
さらには、空気清浄機１００は、上記の自身の存在する領域を特定する方法のうちの複数の方法を組み合わせてもよい。
【００３６】
なお、上記ステップＳ２の判定では、当該空気清浄機１００が運転モードと関連付けられているいずれの領域にも存在しない場合には、予め規定された運転モードと判定してもよい。予め規定された運転モードは、たとえば「強」であってもよい。これは、たとえば図４の車載の場合や図５（Ｂ）のＧＰＳ信号を利用する場合などでは、空気清浄機１００がトンネル内や山の間などの通信のできない位置にある場合が考えられる。そういった場合には、一般的により高い空気清浄能力が求められるためである。または、他の例として、予め規定された運転モードは、省エネルギーの観点などから「弱」や運転停止であってもよい。または、ユーザの設定した運転モードであってもよい。
【００３７】
また、運転モードは、さらに、日時情報にも関連付けられていてよい。たとえば、工業地帯など産業活動によって空気中の汚染物質が増加する可能性の考えられる領域に関しては、その産業活動が活発になる時間帯（たとえば日中）や日（たとえば平日）の日時情報に運転モード「強」、それ以外の日時情報に運転モード「中」を関連付けたり、大型道路を含む領域に関しては、通行量が増加する時間帯（たとえば朝夕）や日（休日、連休）の日時情報に運転モード「強」、それ以外の日時情報に運転モード「中」を関連付けたりすることが考えられる。この場合、空気清浄機１００は上記ステップＳ２の判定で、当該空気清浄機１００の存在する領域に加えて、自身の有する（または通信可能な他の装置の有する）時計やカレンダ機能から現在時刻や日付を表わす日時情報を取得して、その日時情報を加味して運転モードを判定する。
【００３８】
好ましくは、空気清浄機１００は、当該空気清浄機１００が現在存在する領域のみならず、移動先を予測して移動先の領域を特定し、その領域に関連した運転モードに制御してもよい。たとえば図４の例の場合、空気清浄機１００の通信器４０はＥＴＣシステムの通信装置と通信することで、当該通信装置の設置されている料金所のみならず、その通信装置の設置されているレーンの進行方向（上り方向、下り方向、等）を取得することができる。すなわち、空気清浄機１００は、特定した現在の位置の表わしているレーンの進行方向より自身の移動方向を特定することができる。他の例として、図５（Ａ）のように携帯端末と通信することで自身の存在する領域を特定する場合も、その位置が電車の中などの移動体であって場所によって方向の定まるものの位置である場合には、空気清浄機１００は、特定した現在の位置から自身の移動方向を特定することができる。
【００３９】
この場合、空気清浄機１００は、一例として、現在の位置から特定された方向に所定距離を加えた位置を移動先と予測することができる。他の例として、空気清浄機１００が当該料金所から次の料金所までの区間を予め記憶していたり電車等の移動体の行先を予め記憶していたりする場合、あるいは、他の装置からそれらを取得することができる場合、空気清浄機１００は、その情報を利用して移動先を予測してもよい。
【００４０】
さらに、空気清浄機１００は、移動速度に対応した情報を取得することができてもよい。たとえば、図４の例のような車載の場合、空気清浄機１００は、２か所の料金所の通過タイミングと予め記憶している当該料金所間の距離とから移動速度を算出してもよい。または、空気清浄機１００は当該車両と通信してトルクなどの移動速度に対応した情報を取得してもよい。移動速度に対応した情報は、日時情報であってもよい。すなわち、空気清浄機１００は、自身の有する（または通信可能な他の装置の有する）時計やカレンダ機能から現在時刻や日付を表わす日時情報を取得し、予め時刻や日付に関連付けて記憶している移動速度に対応した情報を読み出してもよい。たとえば、朝夕の時間帯や、連休などには道路が混むために、移動速度が遅くなる、などの情報が記憶されていることが考えられる。空気清浄機１００は、上記のように特定した移動方向に対して移動速度を適用することで、より精度よく移動先を推定するようにしてもよい。
【００４１】
空気清浄機１００は移動先を予測して予め制御モードを制御しておくことで、清浄機能等、空気調和機能の効果をより高めることができる。
【００４２】
なお、空気清浄機１００は、上記ステップＳ２で判定された運転モードを外部装置に対して出力してもよい。外部装置としては、たとえばエアーコンディショナーや換気扇や除加湿器や照明器具などの環境調和機が挙げられる。これら環境調和機は、空気清浄機１００からの運転モードに応じて自身の運転モードを制御してもよい。すなわち、この場合、空気清浄機１００はこれら環境調和機の制御装置として機能することになる。
【００４３】
なお、空気清浄機１００が臭いや埃の検知部を有し、領域に応じた運転モードの制御と検知部による運転モードの制御とを並行して行なっている場合、空気清浄機１００は、検知部による制御を優先してもよい。
【００４４】
＜実施形態３：機能構成＞
図６は、上記動作を行なうための空気清浄機１００の機能構成の具体例を示すブロック図である。図６の各機能は、空気清浄機１００の制御装置１０に含まれるＣＰＵ１０ａがＲＯＭ１１に記憶されているプログラムをＲＡＭ１２上に読み出して実行することで主にＣＰＵ１０ａによって実現される。しかしながら、少なくとも一部機能が図３に表わされた他の構成、または図示されていない電気回路などハードウェア構成によって実現されてもよい。
【００４５】
図６を参照して、メモリの一例であるＲＡＭ１２は、領域ごとに関連付けられた運転モード、つまり、領域と運転モードとの対応関係を記憶するための記憶領域である運転モード記憶部１２１を含む。
【００４６】
さらに図６を参照して、ＣＰＵ１０ａは、当該空気清浄機１００の存在する領域を特定するための特定部１０１と、メモリに記憶されている上記の対応関係を参照して、当該空気清浄機１００の存在する領域に応じて運転モードを判定するための判定部１０２と、判定部１０２での判定結果に従って当該空気清浄機１００の運転モードを制御するためのモード制御部１０３とを含む。
【００４７】
特定部１０１は、他の装置との間で所定のエリアに限定された通信を行なって、当該他の装置の位置に対応した情報を当該他の装置から取得するための位置情報入力部１０４と、上記の情報を用いてメモリに記憶されている領域の中から当該空気清浄機１００の存在する領域を特定するための領域特定部１０５とを含む。位置情報入力部１０４は、通信器Ｉ／Ｆ１３を介して接続された通信器４０（または上記の通信器４０ａ）が通信することで得られた他の装置の位置に対応した情報（または自身の位置を表わすＧＰＳ信号）の入力を受け付ける。
【００４８】
上記のように空気清浄機１００が移動先を予測して予め制御モードを制御する場合、特定部１０１は、さらに、特定された空気清浄機１００の存在する領域に基づいて当該空気清浄機１００の移動方向を特定し、特定された移動方向に基づいて当該空気清浄機１００の移動先を予測するための予測部１０６を含む。この場合、判定部１０２は、移動先と予測される当該空気清浄機１００の存在する領域に応じて運転モードを判定する。
【００４９】
好ましくは、予測部１０６は、空気調和機の移動速度に対応した情報を得るための取得部１０７を含む。この場合、予測部１０６は、上記の特定された移動方向と取得された移動速度とに応じて当該空気清浄機１００の移動先を予測する。
【００５０】
＜実施形態４：動作フロー＞
図７は、空気清浄機１００での動作の流れの具体例を表わしたフローチャートである。図７のフローチャートに表わされた動作は、空気清浄機１００の制御装置１０に含まれるＣＰＵ１０ａがＲＯＭ１１に記憶されているプログラムをＲＡＭ１２上に読み出して実行し、図６の各機能を発揮することによって実現される。図７のフローチャートに表わされた動作は、空気清浄機１００において運転モードの制御を自動で行なう設定がなされている間に行なわれる。
【００５１】
図７を参照して、通信器４０が他の装置から当該他の装置の位置に対応した情報を取得すると（または、上記のＧＰＳ受信器である通信器４０ａが当該空気清浄機１００の位置を示すＧＰＳ信号を受信すると）（ステップＳ１０１でＹＥＳ）、ＣＰＵ１０ａは、当該空気清浄機１００の存在する領域を特定する（ステップＳ１０３）。
【００５２】
好ましくは、ＣＰＵ１０ａは、上記ステップＳ１０３で特定された当該空気清浄機１００の存在する領域に基づいて当該空気清浄機１００の移動方向を特定し、その移動方向に基づいて当該空気清浄機１００の移動先を予測する（ステップＳ１０５）。
【００５３】
ＣＰＵ１０ａは、メモリに記憶されている領域と運転モードとの対応関係を参照して、特定された領域に対応した運転モードを判定する（ステップＳ１０７）。このとき、ＣＰＵ１０ａは、自身の有する（または通信可能な他の装置の有する）時計やカレンダ機能から現在時刻や日付を表わす日時情報を取得し、その日時情報をさらに加味して運転モードを判定してもよい。そして、ＣＰＵ１０ａは、その判定結果に従って、運転モードを制御する（ステップＳ１０９）。
【００５４】
ＣＰＵ１０ａが上記ステップＳ１０５の移動先の予測を行なわない場合には、上記ステップＳ１０７の運転モードの判定では、現在存在する領域に応じて運転モードが判定される。それ故、上記ステップＳ１０９では、当該空気清浄機１００が現在存在する領域に応じて運転モードが制御される。
【００５５】
ＣＰＵ１０ａが上記ステップＳ１０５で当該空気清浄機１００の移動先を予測する場合には、上記ステップＳ１０７の運転モードの判定では、当該空気清浄機１００の移動先と予測される当該空気清浄機１００の存在する領域に応じて運転モードが判定される。それ故、上記ステップＳ１０９では、当該空気清浄機１００の移動先と予測される当該空気清浄機１００の存在する領域に応じて運転モードが制御される。
【００５６】
＜実施形態５：実施の形態の効果＞
本実施の形態にかかる空気清浄機１００は、車両に搭載されたり、ユーザが手に持ったり、身体の一部または衣服の一部に装着したり、バッグに入れたりして持ち運び可能なサイズ、形状、および重量である。それ故、空気清浄機１００の周囲の環境は変化し易く、当初の運転モードの設定が必ずしも適切でない領域に存在する場合もある。
【００５７】
従来の技術を採用してデジタル放送を受信したりインターネットに接続したりして天気等の周囲の環境を表わす情報を取得して運転モードを自動的に制御することも考えられる。しかしながら、空気清浄機がインターネット接続やデジタル放送受信機能を有していない場合や、それらができない状況である場合には、運転モードの自動制御が実現しない。
【００５８】
それに対して、本実施の形態にかかる空気清浄機１００が上記の構成を有して上記の動作を行なうことで、当該空気清浄機１００の存在する領域に応じた運転モードに自動的に制御される。これによって、空気清浄機１００の運転モードが適切に制御される。
【００５９】
なお、以上の説明は空気調和機の一例として、フィルタ３０を利用して空気を清浄する、あるいは、さらにイオンを発生させて空気を清浄する空気清浄機１００を挙げているが、同様の制御が可能であって持ち運び可能な空気調和機の他の例としては、たとえば、持ち運び可能なサイズの冷暖房機や扇風機や温風機や除加湿器などが挙げられる。これら空気調和機の他の例に係る装置であっても、同様に、上記の構成を有して上記の動作を行なうことで、運転モードが適切に制御される。
【００６０】
＜実施形態６：他の例＞
以上の説明では、空気調和機の一例である空気清浄機１００内に制御装置１０が設けられ、制御装置１０によって上記の制御が実現されるものとしている。すなわち、空気清浄機１００（または携帯端末等に内蔵された空気清浄機１００）単体で上記の制御が実現されるものとしている。
【００６１】
しかしながら、他の例として、たとえば図５（Ａ）に表わされたように空気清浄機１００が携帯端末などの他の装置と通信可能であって、当該携帯端末からの制御信号によって上記の制御が実現されてもよい。すなわち、制御装置１０が、空気清浄機１００と無線または有線で通信可能な別の装置として構成されてもよい。これは、例えば図５（Ａ）のように、携帯端末を制御装置１０として用いて無線または有線で接続された持ち運び可能なサイズの空気清浄機１００を制御する使い方が想定される。この場合、図６の各機能は、空気清浄機１００とは別体の制御装置１０によって発揮される。
【００６２】
そこで、上述の動作を制御装置１０のＣＰＵ１０ａに実行させるためのプログラムを提供することもできる。プログラムを提供することで、既存の携帯端末やＰＣ（パーソナルコンピュータ）を制御装置１０として機能させることができ、既存の装置を制御装置１０として用いて既存の空気調和機の運転モードを制御することができる。
【００６３】
このようなプログラムは、コンピュータに付属するフレキシブルディスク、ＣＤ−ＲＯＭ（Compact  Disk-Read  Only  Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００６４】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００６５】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００６６】
提供されるプログラム製品は、ハードディスクなどのプログラム格納部にインストールされて実行される。なお、プログラム製品は、プログラム自体と、プログラムが記録された記録媒体とを含む。
【００６７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６８】
１  給気口、２  排気口、３  操作パネル、３−１  電源ボタン、３−２  切替ボタン、１０  制御装置、１０ａ  ＣＰＵ、１１  ＲＯＭ、１２  ＲＡＭ、１３  通信器Ｉ／Ｆ、１４ファンＩ／Ｆ、１５  操作パネルＩ／Ｆ、１６  イオン発生機Ｉ／Ｆ、２０  イオン発生機、３０  フィルタ、４０，４０ａ  通信器、５０  ファン、１００  空気清浄機、１０１  特定部、１０２  判定部、１０３  モード制御部、１０４  位置情報入力部、１０５  領域特定部、１０６  予測部、１０７  取得部、１２１  運転モード記憶部。
【図１】
2015124933.tif 000003
【図２】
2015124933.tif 000004
【図３】
2015124933.tif 000005
【図４】
2015124933.tif 000006
【図５】
2015124933.tif 000007
【図６】
2015124933.tif 000008
【図７】
2015124933.tif 000009